(57)【特許請求の範囲】
【請求項１】
遊技盤上の遊技領域にて入球した遊技球を遊技盤裏面側の下方に誘導する集合板を遊技盤裏面に取り付けた弾球遊技機において、
前記集合板は、該集合板の板面に突設される複数の樋と、該複数の樋に形成される球受口と、該複数の樋に接続され遊技球を下方に誘導する誘導樋とを有し、
前記遊技盤は、前記複数の樋と対応する位置に貫設される複数の貫通穴を有し、
前記遊技盤裏面に前記集合板を取り付けた際に、前記球受口が前記複数の貫通穴を介して前記遊技領域に突出することを特徴とする弾球遊技機。
【請求項２】
前記集合板は、該集合板の板面に突設され、ランプ風車を取り付けるための複数の取付部を有し、
前記複数の貫通穴は、前記複数の樋および前記複数の取り付け部と対応する位置に貫設され、
前記遊技盤裏面に前記集合板を取り付けた際に、前記取付部に取り付けられた前記ランプ風車および前記球受口が、前記複数の貫通穴を介して前記遊技領域に突出することを特徴とする請求項１に記載の弾球遊技機。
【請求項３】
前記ランプ風車は、後方に空洞部を有する風車と、正面にランプが備えられ裏面にランプ配線が接続されているプリント配線板とから構成され、
前記取付部の正面には前記ランプ配線の他端が挿入される配線穴が形成され、
前記取付部の正面に前記プリント配線板の裏面を取り付けた際に、前記ランプ配線の他端が前記配線穴を介して前記集合板の裏面側に出されることを特徴とする請求項２に記載の弾球遊技機。
【発明の詳細な説明】
【０００１】
【発明の属する技術分野】
本発明は、少なくとも複数の球受口が配置される遊技盤と、前記球受口に入球した遊技球を下方に誘導する樋を有する集合板とを備えた弾球遊技機に関する。
【０００２】
【従来の技術】
図４に示す従来の弾球遊技機の遊技盤５１正面には複数の球受口５２ａ及び５２ｂが取り付けられており、遊技盤５１には球受口５２ａ及び５２ｂの各々に対応する位置に貫通穴５３ａ及び５３ｂの各々が設けられている。これにより、各々の球受口５２ａ及び５２ｂに入球した遊技球Ｂ１及びＢ２の各々は各々の貫通穴５３ａ及び５３ｂを介して遊技盤５１裏面側に排出される。また、遊技盤５１裏面には複数の樋５４ａ及び５４ｂを有する集合板５５が配設されており、各々の貫通穴５３ａ及び５３ｂから流出されてきた各々の遊技球Ｂ１及びＢ２は、各々の貫通穴５３ａ及び５３ｂに対応した各々の樋５４ａ及び５４ｂによって遊技盤５１の裏面下方に誘導されるものであった。
【０００３】
【発明が解決しようとする課題】
しかしながら、このような弾球遊技機では、遊技盤に球受口や集合板を取り付ける際、遊技盤の貫通穴に位置を合せて取り付けなければならなく、生産工程が複雑化されるといった課題が考えられた。また、部品点数も多様になるため部品管理が複雑化する虞が考えられた。
【０００４】
【課題を解決するための手段】
上記課題を解決するために、請求項１に係る本願発明の弾球遊技機は、遊技盤上の遊技領域にて入球した遊技球を遊技盤裏面側の下方に誘導する集合板を遊技盤裏面に取り付けた弾球遊技機において、前記集合板は、該集合板の板面に突設される複数の樋と、該複数の樋に形成される球受口と、該複数の樋に接続され遊技球を下方に誘導する誘導樋とを有し、前記遊技盤は、前記複数の樋と対応する位置に貫設される複数の貫通穴を有し、前記遊技盤裏面に前記集合板を取り付けた際に、前記球受口が前記複数の貫通穴を介して前記遊技領域に突出することを特徴とする。
また、請求項２に係る本願発明の弾球遊技機は、請求項１に記載の弾球遊技機に加え、前記集合板は、該集合板の板面に突設され、ランプ風車を取り付けるための複数の取付部を有し、前記複数の貫通穴は、前記複数の樋および前記複数の取り付け部と対応する位置に貫設され、前記遊技盤裏面に前記集合板を取り付けた際に、前記球受口および前記取付部に取り付けられた前記ランプ風車が、前記複数の貫通穴を介して前記遊技領域に突出することを特徴とする。
また、請求項３に係る本願発明の弾球遊技機は、請求項２に記載の弾球遊技機に加え、前記ランプ風車は、後方に空洞部を有する風車と、正面にランプが備えられ裏面にランプ配線が接続されているプリント配線板とから構成され、
前記取付部の正面には前記ランプ配線の他端が挿入される配線穴が形成され、
前記取付部の正面に前記プリント配線板の裏面を取り付けた際に、前記ランプ配線の他端が前記配線穴を介して前記集合板の裏面側に出されることを特徴とする。
【０００５】
【発明の実施の形態】
本発明の弾球遊技機は上記構成により、遊技盤上の遊技領域に突出された集合板の樋に入球した遊技球は集合板の下方に誘導される。これにより、遊技盤に球受口を取り付ける必要がなくなるよう作用する。
【０００６】
【具体例】
本発明の具体例について、図１〜３図を参照して説明する。
図１に示す弾球遊技機１には遊技盤２が備えられると共に、遊技盤２の前面は、ガラス枠３を介して前面枠４に装着された二重のガラス５ａ，５ｂで覆われている。これにより、遊技盤２と内側のガラス５ａとの間には遊技領域６が形成される。
【０００７】
前面枠４の上部にはいわゆる大当りが発生した際に点灯する大当りランプ７が組み付けられている。また、前面枠４は、右側部に設けられた鍵８を操作することにより、左側部の裏面側に装着されているヒンジ（図示略）を軸として開閉可能である。前面枠４の下方には、上受皿１０及び下受皿１１が一体的に設けられた皿部材１２が配されている。上受皿１０及び下受皿１１には、それぞれに弾球遊技機１からの遊技球を排出するための上皿排出口１３及び下皿排出口１４が開口している。また、皿部材１２には複数の小孔からなるスピーカー面１５が設けられており、スピーカー面１５の裏面には遊技状態に応じて音声を発生するスピーカー（図示略）が装着されている。更に皿部材１２には、上受皿１０から供給された遊技球の発射の停止を指示する発射停止スイッチ１６が設置されている。尚、遊技球は皿部材１２に設けられた操作ハンドル１７を操作することにより遊技領域６に発射される。この皿部材１２は左側部の裏面側に装着されているヒンジ（図示略）を軸として開閉可能であるが、通常の使用時には、皿部材１２は前面枠４によって上辺部分を押えられ開放を防止されている。従って、皿部材１２を開くには、前面枠４を開放し右裏側のロック（図示略）を解除する必要がある。
また、弾球遊技機１の裏面には、弾球遊技機１を制御する電子制御装置や遊技球を排出したりする機構等が備えられているが、これらは周知の技術であり図示及び説明は省略する。
【０００８】
次に前述した遊技盤２について図２及び図３を参照して説明する。図２に示すように遊技盤２には貫通穴２０ａ〜２０ｃが貫設されており、遊技盤２裏面には集合板２１が取り付けられる。この集合板２１には遊技球を下方に誘導する樋（誘導樋）２２ａ〜２２ｃが形成されており、各々の樋（誘導樋）２２ａ〜２２ｃの上方であって集合板２１の正面には樋２３ａ〜２３ｃの各々が集合板２１の正面に略垂直に突設されている。また、この樋２３ａ〜２３ｃの各々の上部には球受口２４ａ〜２４ｃの各々が形成されており、上方から落下してきた遊技球の入球が可能となるよう構成されている。尚、この集合板２１は図２及び図３に示すように、各々の樋２３ａ〜２３ｃに入球した遊技球Ｂは樋２３ａ〜２３ｃの各々に対応した樋（誘導樋）２２ａ〜２２ｃの各々によって下方に誘導されるように構成されている。前述した遊技盤２の貫通穴２０ａ〜２０ｃは集合板２１を取り付けた際、集合板２１に設けられている樋２３ａ〜２３ｃの各々に対応する位置に設けられている。
【０００９】
上記のように構成された集合板２１は、各々の樋２３ａ〜２３ｃを貫通穴２０ａ〜２０ｃの各々に挿入して遊技盤２の裏面に取り付けられる。この時、樋２３ａ〜２３ｃは遊技盤２上の遊技領域６に突出され、遊技領域６に発射された遊技球Ｂは樋２３ａ〜２３ｃに入球可能となる。
尚、遊技盤２にはランプ類や役物等が備えられているが、これらの図示及び説明は省略する。
【００１０】
以上、詳細に説明したように、本具体例の弾球弾球遊技機１によると、集合板２１を取り付けると共に樋２３ａ〜２３ｃを遊技盤２上の遊技領域６上に配置でき、各々の樋２３ａ〜２３ｃの球受口２４ａ〜２４ｃの各々によって遊技球を受け入れ、集合板２１の下方に誘導することができる。これにより、遊技盤２に球受口を取り付ける必要がなくなり生産工程が簡素化されるといった優れた効果を奏する。また、部品点数も少なくなるので部品管理を合理化することができるといった効果も有する。
【００１１】
更に、本具体例においては、図２に示すように遊技盤２の貫通穴２０ａ及び２０ｃの各々の上方には貫通穴３１ａ及び３１ｂが各々貫設されており、集合板２１の樋２３ａ及び２３ｃの各々の上方にはランプ風車３２ａ及び３２ｂの各々をを取り付けるための取付部３３ａ及び３３ｂが各々突設されている。この遊技盤２の貫通穴３１ａ及び３１ｂの各々は、集合板２１を遊技盤２に取り付けた際、集合板２１の取付部３３ａ及び３３ｂの各々に対応するように位置されている。
【００１２】
ランプ風車３２ａは、図３に示すように、軸３４ａの先端に回動自由に軸着され、後方に空洞部３５ａを有する風車３６ａと、正面にランプ３７ａ及び３８ａが備えられたプリント配線板３９ａとから構成されている。更に、プリント配線板３９ａの正面中央には軸受溝４０ａが形成されており、この軸受溝４０ａには風車３６ａの軸３４ａの後端が固着される。
【００１３】
ランプ風車３２ａは、プリント配線板３９ａ裏面に接続されているランプ配線４１ａ及び４２ａの各々の他端を取付部３３ａの配線穴４３ａ及び４４ａの各々に挿入し、プリント配線板３９ａの裏面を集合板２１の取付部３３ａの正面に固着して取り付けられる。この時ランプ３７ａ及び３８ａの先端は風車３６ａの空洞部３５ａ内に位置する。尚、ランプ配線４１ａ及び４２ａの各々の他端は集合板２１の裏面側に配設されている制御基板（図示略）に接続される。この時、ランプ風車３２ａは遊技盤２上の遊技領域６に突出され、ランプ風車３２ａの風車３６ａは遊技球が衝突することにより回動する。尚、ランプ風車３２ｂもランプ風車３２ａと同様に構成され、集合板２１の取付部３３ｂに取り付けられる。
【００１４】
以上説明したように集合板２１にランプ風車３２ａ及び３２ｂを設けることにより、遊技盤２にランプ風車を取り付ける必要がなくなり、更に生産工程を簡素化することができる。また、ランプ配線４１ａ及び４２ａは配線穴４３ａ及び４４ａを介して集合板２１裏面側に出されているので、ランプ配線４１ａ及び４２ａを集合板２１と遊技盤２との間に挟んで断線させてしまうといった虞がなくなる。
尚、本発明は、その要旨を逸脱しない限り種々なる改良は自由である。
【００１５】
【発明の効果】
本発明の弾球遊技機によると、遊技盤上の遊技領域に突出された集合板の樋によって遊技球を受け入れ、集合板の下方に誘導することができる。これにより、遊技盤に球受口を取り付ける必要がなくなり生産工程が簡素されるといった優れた効果を奏する。また、部品点数も少なくなるので部品管理を合理化することができるといった効果も有する。
【図面の簡単な説明】
【図１】本具体例の弾球遊技機を示す正面図である。
【図２】本具体例の遊技盤と集合板を示す斜視分解図である。
【図３】本具体例の遊技盤に集合板を取り付けた状態を示す断面図である。
【図４】従来の弾球遊技機の集合板を示す斜視図である。
【符号の説明】
１・・・弾球遊技機      ２，５１・・・遊技盤      ３・・・ガラス枠
４・・・前面枠                  ５ａ，５ｂ・・・ガラス
６・・・遊技領域        ７・・・大当りランプ      ８・・・鍵
１０・・・上受皿        １１・・・下受皿          １２・・・皿部材
１３・・・上皿排出口    １４・・・下皿排出口      １５・・・スピーカー面
１６・・・発射停止スイッチ        １７・・・操作ハンドル
２０ａ〜２０ｃ，３１ａ，３１ｂ，５３ａ，５３ｂ・・・貫通穴
２１，５５・・・集合板
２２ａ〜２２ｃ，２３ａ〜２３ｃ,５４ａ，５４ｂ・・・樋
２４ａ〜２４ｃ，５２ａ，５２ｂ・・・球受口
３２ａ，３２ｂ・・・ランプ風車    ３３ａ，３３ｂ・・・取付部
３５ａ・・・空洞部                ３６ａ・・・風車
３７ａ，３８ａ・・・ランプ        ３９ａ・・・プリント配線板
４０ａ・・・軸受溝                ４１ａ，４２ａ・・・ランプ配線
Ｂ，Ｂ１，Ｂ２・・・遊技球
【図１】
0003851978.tif 000002
【図２】
0003851978.tif 000003
【図３】
0003851978.tif 000004
【図４】
0003851978.tif 000005